(57)【要約】【課題】  押しボタン式ナースコール子機を操作することができないような患者が、寝返りなどにより姿勢が変わっても、医療従事者を容易に呼び出すことができるようにする。【解決手段】  患者の胸部付近に配置されたエアマットセンサ１２は、患者の呼吸量および呼吸間隔を検知する。分析部１３は、エアマットセンサ１２から出力された電気信号から患者の呼吸パターンを分析する。判定部１５は、分析部１３にて分析した患者の呼吸パターンと記憶部１４に予め記憶されている患者の安静時の呼吸パターンとが類似しているか否かの判定を行う。それらが類似していないと判定部１５にて判断した場合には、子機用制御部１１は、ナースコール親機２０へ呼出信号を出力する。これにより、患者が意図的に呼吸パターンを変えたり患者の状態が悪化して呼吸パターンに変化が生じたりすることで、患者は医療従事者を呼び出すことができる。【選択図】        図１
2009034201.tif 000002
【特許請求の範囲】
【請求項１】
患者の胸部の下付近と前記患者が使用するベッドとの間に配置され、前記患者の呼吸により発生した振動から前記患者の呼吸量および呼吸間隔を検知するセンサと、
前記センサで検知した前記患者の呼吸量および呼吸間隔から呼吸パターンを分析する分析部と、
前記患者が安静時に行う呼吸を安静時の呼吸パターンとして予め記憶しておく記憶部と、
前記分析部にて分析した呼吸パターンと前記記憶部に記憶されている前記安静時の呼吸パターンとを比較し、それらが類似しているか否かの判定を行う判定部と、
前記呼吸パターンと前記安静時の呼吸パターンとが類似していないと前記判定部にて判断した場合には、医療従事者を呼び出すための呼出信号を生成し、出力する制御部と、
を具備することを特徴とするナースコール子機。
【発明の詳細な説明】
【技術分野】
【０００１】
本発明は、病院などで看護師などの医療従事者を呼び出すために患者が使用するナースコール子機に関する。
【背景技術】
【０００２】
従来、ナースコールシステムでは、病室内の患者の近辺（例えば、ベッド近傍など）に設置されたナースコール子機および医療従事者のいる部屋（例えば、スタッフルームなど）に設置されたナースコール親機を有線や無線などにより接続している。
【０００３】
通常、ナースコールシステムでは、ナースコール子機は、医療従事者を呼び出すための呼出ボタンを備えている。患者が呼出ボタンを押下すると、ナースコール子機は、ナースコール親機に対して呼出動作を行うようにしている。また、このような呼出ボタンを押下して医療従事者を呼び出すナースコール子機（以下、押しボタン式ナースコール子機とする）を操作することができない患者が、センサを内蔵したナースコール子機に息を吹きかけることにより医療従事者を呼び出すナースコールシステムが知られている（例えば、特許文献１を参照）。特許文献１に記載のナースコールシステムでは、ナースコール子機は、センサとして機能するマイクロホンを備えている。患者がナースコール子機のマイクロホンの集音部分に息を吹きかけると、患者の呼気は、マイクロホンにより集音されて入力音声信号に変換される。そして、入力音声信号の入力レベルが所定のレベルを超えた場合に、ナースコール子機は、ナースコール親機に対して呼出動作を行うようにしている。
【特許文献１】特開２００６−７５３３３号公報
【０００４】
ところで、特許文献１に記載のナースコールシステムを使用して、患者がナースコール子機に息を吹きかけて呼び出すようにするには、患者が息を吹きかけやすい位置にナースコール子機を固定する必要がある。しかしながら、寝返りなどにより患者の姿勢が変わって、患者が息を吹きかける位置と固定されたナースコール子機の位置とがずれてしまうと、ナースコール子機に息を吹きかける場合に、患者は、息が当たる位置まで体を動かさなければならなかった。また、体を動かす代わりに、患者は、息が当たる位置までナースコール子機を移動させなければならなかった。しかし、このタイプのナースコール子機を使用する患者の多くは、手を動かすことが困難であるため、自分でナースコール子機を移動させることができなかった。そのため、実際には、医療従事者などがナースコール子機を移動させていた。このことから、寝返りなどにより患者の姿勢が変わって、患者が息を吹きかける位置とナースコール子機の位置とにずれが生じると、患者は、ナースコール子機を使用することができなくなり、医療従事者を呼び出すことができなくなってしまうという問題があった。
【発明の開示】
【発明が解決しようとする課題】
【０００５】
本発明は、このような問題を解決するために成されたものであり、押しボタン式ナースコール子機を操作することができず手を動かすことも困難な患者が、寝返りなどにより姿勢を変えても、医療従事者を容易に呼び出すことができるようにすることを目的とする。
【課題を解決するための手段】
【０００６】
上述した課題を解決するために、本発明のナースコール子機では、患者の胸部の下付近とベッドとの間に患者の呼吸量および呼吸間隔を検知するセンサを備える。このセンサにより検知した患者の呼吸量および呼吸間隔から患者の呼吸パターンを分析し、記憶部に予め記憶されている安静時の呼吸パターンと類似しているか否かの判定を行って、患者の呼吸パターンと安静時の呼吸パターンとが類似していないと判断した場合には、医療従事者を呼び出すための呼出信号を出力するようにしている。
【発明の効果】
【０００７】
上記のように構成した本発明によれば、安静時と異なる呼吸パターンをセンサが検知した場合に呼出信号が出力されるので、患者が意図的に呼吸パターンを変えたり、患者の状態が悪化して呼吸パターンに変化が生じたりすることで、患者は医療従事者を呼び出すことができる。これにより、手を動かすことが困難な患者でも医療従事者を呼び出すことができる。また、センサは、患者の胸部付近に配置されているので、センサが患者の呼吸量および呼吸間隔を検知することができる場所に設置されていれば、患者がベッド上のどの位置に居ても呼吸パターンを分析することができる。これにより、患者の姿勢が変わっても医療従事者を呼び出すことができる。
【発明を実施するための最良の形態】
【０００８】
以下、本発明の一実施形態を図面に基づいて説明する。本実施形態によるナースコール子機１０を含むナースコールシステムのブロック図を図１に示す。同図に示すように、ナースコールシステムは、ナースコール子機１０、ナースコール親機２０を備えて構成されている。
【０００９】
また、ナースコール子機１０は、子機本体１７、エアマットセンサ１２（特許請求の範囲のセンサに該当）を備えている。また、子機本体１７は、子機用制御部１１（特許請求の範囲の制御部に該当）、分析部１３、記憶部１４、判定部１５、子機用インタフェース（以下、Ｉ／Ｆとする）部１６を備えている。また、ナースコール親機２０は、親機用制御部２１、報知部２２、親機用インタフェース（以下、Ｉ／Ｆとする）部２３を備えている。
【００１０】
図１において、子機本体１７は、病室の患者の近辺に設置されており、伝送線を介してエアマットセンサ１２に接続されている。また、ナースコール子機１０は、伝送線を介してナースコール親機２０に接続されている。また、ナースコール親機２０は、医療従事者の居る部屋（例えば、スタッフルームなど）に設置されており、患者Ｐからの呼び出しに応答するためのものである。ここで、ナースコール親機２０には、複数のナースコール子機１０が接続されている。また、ナースコール子機１０とナースコール親機２０との間には、図示しない廊下灯が設置されている。廊下灯は、自装置に設けた表示灯を点灯または点滅させ、ナースコール子機１０による呼び出しを報知する。
【００１１】
子機用制御部１１は、ナースコール子機１０の各構成要素を後述するように制御する。また、子機用制御部１１は、医療従事者を呼び出すための呼出信号を生成し、出力する。図２は、エアマットセンサ１２の配置例および構成例を示す図である。エアマットセンサ１２は、図２（ａ）に示すように、患者ＰとベッドＢとの間に配置される。また、エアマットセンサ１２は、患者Ｐの胸部付近を中心にベッドＢの幅方向に広がるように配置されている。そのため、エアマットセンサ１２は、寝返りなどにより患者Ｐの姿勢が変わっても患者Ｐの呼吸量および呼吸間隔を検知することができる。
【００１２】
また、エアマットセンサ１２は、患者Ｐの呼吸により発生した振動から患者Ｐの呼吸量および呼吸間隔を検知する。具体的には図２（ｂ）に示すように、エアマットセンサ１２は、エアマット１２１、マイクロホン１２２ａ、１２２ｂを備えている。また、エアマット１２１とマイクロホン１２２ａ、１２２ｂとは、通気管１２３ａ、１２３ｂと通気弁１２４ａ、１２４ｂとを介して接続されている。エアマット１２１は、患者Ｐの呼吸により発生した振動により、エアマット１２１の内部へ空気の出し入れを行う。また、マイクロホン１２２ａ、１２２ｂは、通気管１２３ａ、１２３ｂの途中に配置され、空気が通気管１２３ａ、１２３ｂを通ることによって生成される音を集めて電気信号に変換する。また、通気弁１２４ａ、１２４ｂは、エアマット１２１と通気管１２３ａ、１２３ｂとの間に配置され、通気管１２３ａ、１２３ｂを通る空気の逆流を防ぐ。また、通気弁１２４ａは、通気管１２３ａからエアマット１２１へ流れる空気のみを通し、エアマット１２１から通気管１２３ａへ空気が逆流することを防ぐ。また、通気弁１２４ｂは、エアマット１２１から通気管１２３ｂへ流れる空気のみを通し、通気管１２３ｂからエアマット１２１へ空気が逆流することを防ぐ。
【００１３】
患者Ｐが息を吸った場合に、エアマット１２１は、エアマット１２１の上部から圧力を受け、エアマット１２１の内部に入っている空気を外部へ排出する。その際、通気弁１２４ａが空気の逆流を遮断しているので、エアマット１２１の内部の空気は、通気管１２３ａから外部へ排出されない。一方、通気弁１２４ｂが空気を通しているので、エアマット１２１の内部の空気は、通気管１２３ｂから外部へ排出される。通気管１２３ｂに空気が流れた場合に、マイクロホン１２２ｂは、通気管１２３ｂに流れる空気の音を集めて、電気信号に変換する。マイクロホン１２２ｂは、患者Ｐが息を吸った場合の検知結果として、変換した電気信号を子機用制御部１１に出力する。また、患者Ｐが息を吐いた場合に、エアマット１２１の上部に受けていた圧力が緩和され、エアマット１２１は、自身の反発力により圧力がかかっていない状態に戻ろうとするため、エアマット１２１の内部へ外部の空気を吸い込む。その際、通気弁１２４ｂが空気の逆流を遮断しているので、外部の空気は、通気管１２３ｂからは吸い込まれない。一方、通気弁１２４ａが空気を通しているので、外部の空気は、通気管１２３ａからは吸い込まれる。通気管１２３ａに空気が流れた場合に、マイクロホン１２２ａは、通気管１２３ａに流れる空気の音を集めて、電気信号に変換する。マイクロホン１２２ａは、患者Ｐが息を吐いた場合の検知結果として、変換した電気信号を子機用制御部１１に出力する。
【００１４】
分析部１３は、エアマットセンサ１２から出力された電気信号を入力し、この電気信号から呼吸に対応する周波数を分離して、この周波数を基に呼吸パターンを分析する。図３は、呼吸パターンの一例を示す図である。図３（ａ）に示す呼吸パターンＷは、分析部１３にて分析されたものである。呼吸パターンＷは、波形を形成しており、縦軸に呼吸の深さｄ、横軸に時間ｔを取っている。患者Ｐが息を吸うと、呼吸パターンＷの波形は、上方向へ傾き、息を吸い終わった時点で上方向の頂点（以下、上限値とする）に至る。患者Ｐが息を吐くと、呼吸パターンＷの波形は、下方向へ傾き、息を吐き終わった時点で下方向の頂点（下限値とする）に至る。患者Ｐが再び息を吸うと、呼吸パターンＷの波形は、上方向へ傾く。患者Ｐが呼吸を繰り返し行うことにより、呼吸パターンＷの波形は形成される。１回の呼吸Ｋ１は、呼吸パターンＷの波形の上限値と下限値との組み合わせで構成され、下限値から上限値を経て再び下限値に至るまでの呼吸パターンＷの波形で示される。ある一定の時間Ｔ１を区切り、一定の時間Ｔ１における呼吸Ｋ１の数を呼吸数Ｋｎとする。また、一定の時間Ｔ１における各上限値の平均値と各下限値の平均値とから、一定の時間Ｔ１における呼吸量Ｖ１が得られる。
【００１５】
また、一定の時間Ｔ１の間、患者Ｐが大きな呼吸を行うと、呼吸パターンＷの波形の上限値と下限値との差は大きくなる。一方、一定の時間Ｔ１の間、患者Ｐが小さな呼吸を行うと、呼吸パターンＷの波形の上限値と下限値との差は小さくなる。また、一定の時間Ｔ１における１回の呼吸Ｋ１の数が多くなるように患者Ｐが速い呼吸を行うと、呼吸パターンＷの波形の間隔が短くなる。一方、一定の時間Ｔ１における１回の呼吸Ｋ１の数が少なくなるように患者Ｐがゆっくりとした呼吸を行うと、呼吸パターンＷの波形の間隔が長くなる。例えば、患者Ｐが意図的に呼吸を荒くする、または、呼吸を緩やかにすると、分析部１３は、呼吸パターンＷの波形に対して異なる呼吸パターンの波形であると分析する。
【００１６】
記憶部１４は、患者Ｐが安静時に行う呼吸を安静時の呼吸パターンとして予め記憶しておく。図３（ｂ）は、記憶部１４に記憶されている安静時の呼吸パターンを示す図である。安静時の呼吸パターンＷ’は、患者Ｐが安静にしているときに、エアマットセンサ１２によって検知された患者Ｐの呼吸量および呼吸間隔の測定値である電気信号を分析部１３にて分析したものである。安静時の呼吸パターンＷ’は、図３（ａ）の呼吸パターンＷと同様に、波形を形成し、縦軸に呼吸の深さｄ、横軸に時間ｔを取っている。また、安静時の１回の呼吸Ｋ１’は、安静時の呼吸パターンＷ’の波形の上限値と下限値との組み合わせで構成され、下限値から上限値を経て再び下限値に至るまでの安静時の呼吸パターンＷ’の波形で示される。また、一定の時間Ｔ１における安静時の呼吸Ｋ１’の数を呼吸数Ｋｎ’とする。また、一定の時間Ｔ１における各上限値の平均値と各下限値の平均値とから、一定の時間Ｔ１における安静時の呼吸量Ｖ１’が得られる。
【００１７】
判定部１５は、分析部１３にて分析した患者Ｐの呼吸パターンＷと記憶部１４に予め記憶されている患者Ｐの安静時の呼吸パターンＷ’とを比較し、それらの呼吸パターンＷ、Ｗ’が類似しているか否かの判定を行う。分析部１３にて分析した呼吸パターンＷと記憶部１４に予め記憶されている患者Ｐの安静時の呼吸パターンＷ’とが類似していると判定部１５にて判断した場合には、子機用制御部１１は、エアマットセンサ１２を引き続き制御して、エアマットセンサ１２で検知した患者Ｐの呼吸量および呼吸間隔を電気信号に変換する。また、子機用制御部１１は、分析部１３を引き続き制御して、電気信号から分離した周波数を基に呼吸パターンを分析する。また、子機用制御部１１は、判定部１５を引き続き制御して、分析部１３にて分析した患者Ｐの呼吸パターンＷと記憶部に１４に予め記憶されている患者Ｐの安静時の呼吸パターンＷ’とが類似しているか否かの判定を行う。一方、分析部１３にて分析した患者Ｐの呼吸パターンＷと記憶部１４に予め記憶されている患者Ｐの安静時の呼吸パターンＷ’とが類似していないと判定部１５にて判断した場合には、子機用制御部１１は、医療従事者を呼び出すための呼出信号を生成する。子機用Ｉ／Ｆ部１６は、ナースコール子機１０がナースコール親機２０との間で通信するために、親機用Ｉ／Ｆ部２３に接続されている。子機用制御部１１は、生成した呼出信号をナースコール親機２０へ子機用Ｉ／Ｆ部１６により出力する。
【００１８】
ここで、判定部１５は、（ａ）分析部１３にて分析した呼吸パターンＷから得た一定の時間Ｔ１における呼吸数Ｋｎと、記憶部１４に予め記憶されている患者Ｐの安静時の呼吸パターンＷ’から得た一定の時間Ｔ１における呼吸数Ｋｎ’との差が予め設定された範囲内であるか否か、（ｂ）分析部１３にて分析した呼吸パターンＷから得た一定の時間Ｔ１における呼吸量Ｖ１と、記憶部１４に予め記憶されている患者Ｐの安静時の呼吸パターンＷ’から得た一定の時間Ｔ１における呼吸量Ｖ１’との差が予め設定された範囲内であるか否か、という２つの比較項目を使用する。２つの比較項目において、両方とも予め設定された範囲内であると判定部１５にて判断した場合に、判定部１５は、分析部１３が分析した患者Ｐの呼吸パターンＷと記憶部１４に記憶した患者Ｐの安静時の呼吸パターンＷ’とが類似していると判断する。一方、２つの比較項目において、どちらか一方が予め設定された範囲内でないと判定部１５にて判断した場合に、判定部１５は、分析部１３が分析した患者Ｐの呼吸パターンＷと記憶部１４に記憶した患者Ｐの安静時の呼吸パターンＷ’とが類似していないと判断する。
【００１９】
親機用制御部２１は、ナースコール親機２０の各構成要素を後述するように制御する。また、親機用制御部２１は、ナースコール子機１０から出力された呼出信号を親機用Ｉ／Ｆ部２３により受信する。親機用Ｉ／Ｆ部２３は、ナースコール親機２０がナースコール子機１０との間で通信するために、子機用Ｉ／Ｆ部１６に接続されている。報知部２２は、スピーカや表示ディスプレイ、表示灯などにより構成されている。ナースコール子機１０から呼び出しがあると、換言すると、ナースコール子機１０から出力された呼出信号を受信したと親機用制御部２１にて判断した場合には、報知部２２は、スピーカから呼び出し音を出力したり、表示ディスプレイに呼び出し表示を行ったり、表示灯を点灯または点滅させたりして呼び出しを報知する。
【００２０】
本実施形態によるナースコール子機１０を含むナースコールシステムがこのような動作をすることにより、患者Ｐが意図的に呼吸に変化を付けることで、ナースコール子機１０は、医療従事者を容易に呼び出すことができる。また、患者Ｐの状態が悪化して呼吸パターンに変化が生じた場合でも、ナースコール子機１０は、医療従事者を呼び出すことができる。
【００２１】
以上詳しく説明したように、本実施形態によるナースコール子機１０では、患者Ｐの胸部付近に配置されたエアマットセンサ１２は、患者Ｐの呼吸量および呼吸間隔を検知する。また、分析部１３は、エアマットセンサ１２から出力された電気信号から患者Ｐの呼吸パターンＷを分析する。また、判定部１５は、分析部１３にて分析した患者Ｐの呼吸パターンＷと記憶部１４に予め記憶されている患者Ｐの安静時の呼吸パターンＷ’とが類似しているか否かの判定を行う。そして、呼吸パターンＷ、Ｗ’が類似していないと判定部１５にて判断した場合には、子機用制御部１１は、医療従事者を呼び出すための呼出信号をナースコール親機２０へ出力する。これにより、患者Ｐが意図的に呼吸パターンを変えたり、患者Ｐの状態が悪化して呼吸パターンに変化が生じたりすることで、呼吸パターンＷ、Ｗ’が類似しなくなり、呼出信号がナースコール子機１０からナースコール親機２０へ出力される。従って、患者Ｐは医療従事者を呼び出すことができる。これにより、手を動かすことが困難な患者Ｐでも医療従事者を呼び出すことができる。また、エアマットセンサ１２は、患者Ｐの胸部付近に配置されているので、エアマットセンサ１２が患者Ｐの呼吸量および呼吸間隔を検知することができる場所に設置されていれば、分析部１３は、患者ＰがベッドＢ上のどの位置に居ても呼吸パターンを分析することができる。従って、患者Ｐの姿勢が変わっても医療従事者を呼び出すことができる。
【００２２】
なお、前述した実施形態では、安静時の呼吸パターンＷ’は、患者Ｐが安静にしているときに、エアマットセンサ１２によって検知された患者Ｐの呼吸量および呼吸間隔の測定値である電気信号を基に分析部１３にて分析したものであるが、これに限定されない。例えば、医療従事者が図示しない入力部を使用して一定の時間Ｔ１あたりの呼吸量Ｖ１および呼吸数Ｋｎを入力し、これらから患者Ｐの安静時の呼吸パターンを生成するようにしても良い。
【００２３】
また、前述した実施形態では、記憶部１４は、患者Ｐの安静時の呼吸パターンＷ’を１種類のみ記憶しているがこれに限定されない。例えば、昼間や夜間などの時間帯毎に患者Ｐの安静時の呼吸パターンＷ’を複数記憶するようにしても良い。これにより、睡眠などにより患者Ｐの安静時の呼吸量や呼吸間隔が変わるときでも、それに適した呼吸パターンＷ’が使用されるので、誤動作が発生する可能性を低くすることができる。
【００２４】
また、前述した実施形態では、患者Ｐの呼吸量および呼吸間隔を検知するためにエアマットセンサ１２を使用するようにしているが、これに限定されない。例えば、患者Ｐの呼吸量および呼吸間隔を患者Ｐに対して面で検知することができるようなセンサ（例えば、患者Ｐの呼吸に伴う患者Ｐの胸部の動きに合わせて高さが変化するマットを患者ＰとベッドＢとの間に配置し、そのマットの高さの変化を検知するセンサなど）を使用するようにしても良い。
【００２５】
また、前述した実施形態では、呼吸パターンＷ、Ｗ’が類似していないと判定部１５にて判断した場合に、子機用制御部１１は、医療従事者を呼び出すための呼出信号をナースコール親機２０へ出力するようにしているが、これに限定されない。例えば、エアマットセンサ１２が患者Ｐの呼吸量および呼吸間隔を検知することができない場合に、子機用制御部１１は、呼出信号を生成し、出力するようにしても良い。
【００２６】
具体的には、患者ＰがベッドＢから転落したり、患者ＰがベッドＢの端の方に居て転落しそうになったり、患者Ｐの呼吸が停止したりするなど、エアマットセンサ１２が患者Ｐの呼吸量および呼吸間隔を検知できなくなった場合に、分析部１３は、入力した電気信号から呼吸に対応する周波数を分離して、この周波数を基に呼吸パターンＷを分析する。エアマットセンサ１２が患者Ｐの呼吸量および呼吸間隔を検知しないので、分析した呼吸パターンＷは、波形を形成せず、フラットな形状（フラット形）となる。分析した呼吸パターンＷがフラット形になると、分析部１３は、エアマットセンサ１２が患者Ｐの呼吸量および呼吸間隔を検知しなくなったことを示すエラー信号を生成し出力する。子機用制御部１１が分析部１３から出力されたエラー信号を入力すると、子機用制御部１１は、患者Ｐに異変が行ったと判断して医療従事者を呼び出すための呼出信号を生成し、ナースコール親機２０へ出力する。なお、このような場合において、呼出信号を通常の呼出信号と異なるものとしても良い。
【００２７】
これにより、分析部１３が患者Ｐの呼吸パターンＷを分析することができない場合には、ナースコール親機２０により、呼び出しを示す報知が行われるので、患者ＰがベッドＢから転落したり、患者ＰがベッドＢの端の方に居て転落しそうになったり、患者Ｐの呼吸が停止したりしても、ナースコール子機１０は、医療従事者を呼び出すことができる。
【００２８】
また、前述した変形例では、分析部１３は、分析した呼吸パターンＷがフラット形になることによりエラー信号を生成しているが、これに限定されない。例えば、エアマットセンサ１２が、患者Ｐの呼吸量および呼吸間隔を検知した場合のみ電気信号を出力するようにし、子機用制御部１１は、分析部１３が一定時間電気信号を入力しなかった場合に呼出信号を生成するようにしても良い。
【図面の簡単な説明】
【００２９】
【図１】本実施形態のナースコールシステムのブロック図である。
【図２】エアマットセンサの配置例および構成例を示す図である。
【図３】呼吸パターンの一例を示す説明図である。
【符号の説明】
【００３０】
１０    ナースコール子機
１１    子機用制御部
１２    エアマットセンサ
１２１  エアマット
１２２ａ、１２２ｂ  マイクロホン
１２３ａ、１２３ｂ  通気管
１２４ａ、１２４ｂ  通気弁
１３    分析部
１４    記憶部
１５    判定部
１６    子機用インタフェース（Ｉ／Ｆ）部
１７    子機本体
２０    ナースコール親機
２１    親機用制御部
２２    報知部
２３    親機用インタフェース（Ｉ／Ｆ）部
Ｐ    患者
Ｂ    ベッド
Ｗ    呼吸パターン
Ｗ’    安静時の呼吸パターン
ｄ      呼吸の深さ
ｔ      時間
Ｖ１    一定の時間あたりの呼吸量
Ｖ１’    一定の時間あたりの呼吸量
Ｋ１    １回の呼吸
Ｋ１’    １回の呼吸
Ｔ１    一定の時間
Ｋｎ    一定の時間あたりの呼吸数
Ｋｎ’    一定の時間あたりの呼吸数
【図１】
2009034201.tif 000003
【図２】
2009034201.tif 000004
【図３】
2009034201.tif 000005